(57)【要約】【課題】ネットオークションやネットショッピングに必要なリソースを個人ユーザに提供するとともに、既に高い知名度を得ているサイトのページを分割して貸与することにより、独自の方針で運営を行わせ、当初より十分な取引を行えるようにしたフランチャイズ型取引システムを提供する。【解決手段】ネットワークを利用した取引システムであって、フランチャイズオーナに取引ページ内のスペース割り当てを行う手段と、上記フランチャイズオーナにページ編集機能を提供する手段と、上記フランチャイズオーナに取引管理機能を提供する手段と、上記フランチャイズオーナに割り当てたスペースの課金を行う手段とを備える。【選択図】図１
2008052342.tif 000002
【特許請求の範囲】
【請求項１】
ネットワークを利用した取引システムであって、
フランチャイズオーナに取引ページ内のスペース割り当てを行う手段と、
上記フランチャイズオーナにページ編集機能を提供する手段と、
上記フランチャイズオーナに取引管理機能を提供する手段と、
上記フランチャイズオーナに割り当てたスペースの課金を行う手段とを備えたことを特徴とするフランチャイズ型取引システム。
【請求項２】
請求項１に記載のフランチャイズ型取引システムにおいて、
上記フランチャイズオーナに取引実績に応じたポイントを付与する手段と、
上記フランチャイズオーナの所定期間内のポイントによりランクに要求されるノルマの達成可否を判定する手段とを備え、
取引ページ内のスペース割り当てを行う上記手段は、ノルマを達成できなかったフランチャイズオーナに割り当てたスペースの再割り当てを行うことを特徴とするフランチャイズ型取引システム。
【請求項３】
請求項２に記載のフランチャイズ型取引システムにおいて、
取引ページ内のスペース割り当てを行う上記手段は、ノルマを達成できなかったフランチャイズオーナより下位ランクに属するフランチャイズオーナの中から最もポイントの高いフランチャイズオーナにスペースの再割り当てを行うことを特徴とするフランチャイズ型取引システム。
【請求項４】
請求項３に記載のフランチャイズ型取引システムにおいて、
取引ページ内のスペース割り当てを行う上記手段は、ノルマを達成できなかったフランチャイズオーナに割り当てたスペースの再割り当てを、当該フランチャイズオーナを下位のランクの空きスペースに再割り当てした後に行うことを特徴とするフランチャイズ型取引システム。
【請求項５】
請求項３に記載のフランチャイズ型取引システムにおいて、
取引ページ内のスペース割り当てを行う上記手段は、ノルマを達成できなかったフランチャイズオーナに割り当てたスペースの再割り当てを、下位ランクに属するフランチャイズオーナの中から最もポイントの高いフランチャイズオーナに対して即座に行い、当該下位ランクのフランチャイズオーナの元のスペースをノルマを達成できなかったフランチャイズオーナに再割り当てすることを特徴とするフランチャイズ型取引システム。
【請求項６】
ネットワークを利用した取引システムにおける管理方法であって、
フランチャイズオーナに取引ページ内のスペース割り当てを行い、
上記フランチャイズオーナにページ編集機能を提供し、
上記フランチャイズオーナに取引管理機能を提供し、
上記フランチャイズオーナに割り当てたスペースの課金を行うことを特徴とするフランチャイズ型取引管理方法。
【発明の詳細な説明】
【技術分野】
【０００１】
本発明は、既に高い知名度を得ているサイトのページを分割して貸与する形態のフランチャイズ型取引システムに関する。
【背景技術】
【０００２】
昨今、インターネットの普及により、ネットオークションやネットショッピングの利用が飛躍的に増大している。
【０００３】
ネットオークションやネットショッピングに出品する者は、既存のネットオークションサイトやネットショッピングサイトを利用するのが一般的であり、そのサイトの特性を考慮して利用するサイトを選択している。
【０００４】
なお、出願人は出願時点までに本発明に関連する公開された先行技術文献を発見することができなかった。よって、先行技術文献情報を開示していない。
【発明の開示】
【発明が解決しようとする課題】
【０００５】
上述したように、ネットオークションやネットショッピングの出品者は既存のネットオークションサイトやネットショッピングサイトを利用するのが一般的であるが、運営方針やテーマ等が自分の趣味と合致しない場合もある。
【０００６】
しかし、自分でネットオークションサイトやネットショッピングサイトを構築するのは、技術力やコストの点で現実的ではない。
【０００７】
また、仮にネットオークションサイトやネットショッピングサイトを自前で構築できたとしても、当初は知名度も低く、客数が少ないことから、斬新なアイデアのもとに良い商品を出品したとしても十分な取引が行えない可能性が高い。
【０００８】
本発明は上記の従来の問題点に鑑み提案されたものであり、その目的とするところは、ネットオークションやネットショッピングに必要なリソースを個人ユーザに提供するとともに、既に高い知名度を得ているサイトのページを分割して貸与することにより、独自の方針で運営を行わせ、当初より十分な取引を行えるようにしたフランチャイズ型取引システムを提供することにある。
【課題を解決するための手段】
【０００９】
上記の課題を解決するため、本発明にあっては、請求項１に記載されるように、ネットワークを利用した取引システムであって、フランチャイズオーナに取引ページ内のスペース割り当てを行う手段と、上記フランチャイズオーナにページ編集機能を提供する手段と、上記フランチャイズオーナに取引管理機能を提供する手段と、上記フランチャイズオーナに割り当てたスペースの課金を行う手段とを備えるフランチャイズ型取引システムを要旨としている。
【００１０】
また、請求項２に記載されるように、請求項１に記載のフランチャイズ型取引システムにおいて、上記フランチャイズオーナに取引実績に応じたポイントを付与する手段と、上記フランチャイズオーナの所定期間内のポイントによりランクに要求されるノルマの達成可否を判定する手段とを備え、取引ページ内のスペース割り当てを行う上記手段は、ノルマを達成できなかったフランチャイズオーナに割り当てたスペースの再割り当てを行うようにすることができる。
【００１１】
また、請求項３に記載されるように、請求項２に記載のフランチャイズ型取引システムにおいて、取引ページ内のスペース割り当てを行う上記手段は、ノルマを達成できなかったフランチャイズオーナより下位ランクに属するフランチャイズオーナの中から最もポイントの高いフランチャイズオーナにスペースの再割り当てを行うようにすることができる。
【００１２】
また、請求項４に記載されるように、請求項３に記載のフランチャイズ型取引システムにおいて、取引ページ内のスペース割り当てを行う上記手段は、ノルマを達成できなかったフランチャイズオーナに割り当てたスペースの再割り当てを、当該フランチャイズオーナを下位のランクの空きスペースに再割り当てした後に行うようにすることができる。
【００１３】
また、請求項５に記載されるように、請求項３に記載のフランチャイズ型取引システムにおいて、取引ページ内のスペース割り当てを行う上記手段は、ノルマを達成できなかったフランチャイズオーナに割り当てたスペースの再割り当てを、下位ランクに属するフランチャイズオーナの中から最もポイントの高いフランチャイズオーナに対して即座に行い、当該下位ランクのフランチャイズオーナの元のスペースをノルマを達成できなかったフランチャイズオーナに再割り当てするようにすることができる。
【００１４】
また、請求項６に記載されるように、ネットワークを利用した取引システムにおける管理方法であって、フランチャイズオーナに取引ページ内のスペース割り当てを行い、上記フランチャイズオーナにページ編集機能を提供し、上記フランチャイズオーナに取引管理機能を提供し、上記フランチャイズオーナに割り当てたスペースの課金を行うフランチャイズ型取引管理方法として構成することができる。
【発明の効果】
【００１５】
本発明のフランチャイズ型取引システムにあっては、ネットオークションやネットショッピングに必要なリソースを個人ユーザに提供するとともに、既に高い知名度を得ているサイトのページを分割して貸与することにより、独自の方針で運営を行わせることができ、当初より十分な取引を行えるものとすることができる。
【発明を実施するための最良の形態】
【００１６】
以下、本発明の好適な実施形態につき説明する。
【００１７】
<システム構成>
図１は本発明の一実施形態にかかるフランチャイズ型取引システムの構成例を示す図である。
【００１８】
図１において、ネットオークションもしくはネットショッピングの運営機能を有するオークション／ショッピングサーバ１とフランチャイズ管理機能を有するフランチャイズ管理サーバ２はインターネット等のネットワーク３に接続され、ネットワーク３にはフランチャイズオーナの操作するＰＣ（Personal Computer）等のクライアント４Ａ、出品者の操作するＰＣ等のクライアント４Ｂ、入札者もしくは購入者の操作するＰＣ等のクライアント４Ｃが接続されている。
【００１９】
図２はオークション／ショッピングサーバ１の構成例を示す図である。
【００２０】
図２において、オークション／ショッピングサーバ１は、ネットオークションもしくはネットショッピングの出品内容、入札・落札・購入状況等を保持するオークション／ショッピング情報ＤＢ（Data Base）１０１と、会員のユーザ情報を保持するユーザ情報ＤＢ１０２と、出品する商品のカテゴリを体系化して保持する分類ＤＢ１０３と、商品等の画像を保持する画像ＤＢ１０４と、取引における当事者（出品者、落札者、購入者等）の評価を保持する評価ＤＢ１０５と、会員への課金（出品者への課金等）情報を保持する課金ＤＢ１０６とを備えている。
【００２１】
また、オークション／ショッピングサーバ１は、機能部として、ユーザの操作するクライアント４Ａ〜４Ｃ（図１）からのネットワーク３を介したアクセスに対し、オークション／ショッピング情報ＤＢ１０１の保持内容をページとして提示するページサーバ１１１と、このページサーバ１１１の提示するページを介して出品、入札、落札、購入、質問、回答等を受け付け、オークション／ショッピング情報ＤＢ１０１の保持内容を編集する編集サーバ１１２とを備えている。
【００２２】
また、オークション／ショッピングサーバ１は、出品時に商品のカテゴリを選択させるリストを分類ＤＢ１０３から取得して提示するリストサーバ１１３と、各種の検索を実行する検索サーバ１１４と、出品内容に付随する画像を画像ＤＢ１０４に格納して管理する画像サーバ１１５と、取引における当事者の評価を受け付けて評価ＤＢ１０５に格納して管理する評価サーバ１１６と、何らかのステータスの変更があった際に特定の者にメールで通知するためのメールサーバ１１７と、会員への課金を管理する課金サーバ１１８とを備えている。
【００２３】
図１に戻り、フランチャイズ管理サーバ２は、フランチャイズオーナに対するページ内スペースを取得して割り当てるページ内スペース取得部２１と、割り当てたページ内スペースでのページ編集を行う機能を提供するページ編集部２２と、オークション／ショッピングサーバ１の機能のうちフランチャイズオーナに使用させる機能を管理するオークション／ショップ機能管理部２３とを備えている。
【００２４】
また、フランチャイズ管理サーバ２は、取引実績等に応じてフランチャイズオーナ等にポイントを付与するポイント付与部２４と、フランチャイズオーナに対する課金処理を行うフランチャイズ課金処理部２５と、定期的にフランチャイズオーナの取得ポイント等に基づいてフランチャイズオーナのランク判定（ランクに見合うノルマ（入れ替え閾値）を達成できているか否か等）を行い、空きの発生したスペースにつきページ内スペース取得部２１に再割り当てを行わせるランク判定処理部２６とを備えている。
【００２５】
また、フランチャイズ管理サーバ２はフランチャイズ管理を行うにあたり必要となるデータを保持するフランチャイズ店舗ＤＢ２７、フランチャイズ課金ＤＢ２８、ランク判定ＤＢ２９を備えている。
【００２６】
図３はフランチャイズ店舗ＤＢ２７の例を示す図であり、「フランチャイズオーナＩＤ」（フランチャイズオーナのユーザＩＤ）、「ページ内スペース」（ページ内のフレーム）、「利用機能」（オークション／ショッピングサーバ１の有する機能のうち利用可能な機能）、「出品数（来店数）」、「出品者ＩＤ（来店者ＩＤ）」、「入札者数（購入者数）」、「入札者ＩＤ（購入者ＩＤ）」、「ポイント（利益）」等の項目を含んでいる。
【００２７】
図４はフランチャイズ課金ＤＢ２８の例を示す図であり、「フランチャイズオーナＩＤ」、「ページ内スペースレンタル料」、「機能利用料」、「ポイント数（利益）」、「課金」等の項目を含んでいる。
【００２８】
図５はランク判定ＤＢ２９の例を示す図であり、「フランチャイズオーナＩＤ」、「ランク」、「スペース番号」、「ページ名」、「ページ内スペース」、「面積（ｃｍ×ｃｍ）」、「ポイント数（利益）」、「入れ替え閾値」（入れ替え対象候補となるポイント数閾値）、「待ち行列フランチャイズオーナＩＤ」（そのページ内スペースに入れ替える候補）等の項目を含んでいる。
【００２９】
<動作>
図６はページ内スペースの割り当ての例を示す図であり、フランチャイズの対象となる既に高い知名度を得ているサイトのオークションページＰ０のページ内スペースを、ページ内スペース取得部２１（図１）によってフランチャイズコーナＦ１、Ｆ２、Ｆ３として割り当てた状態（フランチャイズコーナＦ１のフランチャイズオーナはＡＡＡ、フランチャイズコーナＦ２のフランチャイズオーナはＢＢＢ、フランチャイズコーナＦ３のフランチャイズオーナはＣＣＣ）を示している。ここで、比較的面積の広いフランチャイズコーナＦ１、Ｆ２は課金額も高めとなるが、そのスペース内で出品内容についての情報（商品の説明文や画像等）を十分に掲載（各種入力フォーム等はオークション／ショッピングサーバ１の機能により別画面に表示）でき、閲覧者に直接的に出品内容を提示できるため有利である。また、比較的面積の狭いフランチャイズコーナＦ３は課金額は低めとなるが、そのスペース内で出品内容についての情報を十分に掲載できないため、別途用意したオークション／ショッピングページＰ３へリンクさせ、このオークション／ショッピングページＰ３内に実質的な出品内容についての情報（商品の説明文や画像等）を掲載することとなる。
【００３０】
図７はランク判定処理部２６およびページ内スペース取得部２１（図１）によるランク判定およびページ内スペース再割り当ての処理例を示すフローチャートである。
【００３１】
図７において、処理を開始すると（ステップＳ１）、ランク判定処理部２６は、ランク判定ＤＢ２９における各フランチャイズオーナ毎に一定期間内のポイント数と入れ替え閾値を比較し（ステップＳ２）、入れ替え閾値以上のポイント数を獲得していないフランチャイズオーナＩＤを１段階下のランクの他のフランチャイズオーナのスペースの待ち行列フランチャイズオーナＩＤに追加し、元のランクより１段階上のランクの待ち行列フランチャイズオーナＩＤに当該フランチャイズオーナＩＤがあればそれを削除する（ステップＳ３）。
【００３２】
次いで、フランチャイズオーナのページ閉鎖等により空きとなったスペースにつき、ページ内スペース取得部２１により、元のフランチャイズオーナの待ち行列フランチャイズオーナＩＤの中から最もポイント数の高いフランチャイズオーナにスペース再割り当てを行う。（ステップＳ４）。この際、そのフランチャイズオーナＩＤをそのスペースの待ち行列フランチャイズオーナＩＤから削除（他の待ち行列フランチャイズオーナＩＤは再割り当て先に引継ぎ）し、そのフランチャイズオーナが再割り当て前に所有していたスペースを空きスペース化する。これにより空きスペースとなったものについても、同様にスペース再割り当てを行う（ステップＳ４）。
【００３３】
次いで、ランク判定処理部２６は、スペース再割り当したフランチャイズオーナのランクをそのスペースの元のランクに更新する（ステップＳ５）。
【００３４】
次いで、スペース再割り当したフランチャイズオーナＩＤを１段階上のランクが存在すればそのランクの他のフランチャイズオーナのスペースの待ち行列フランチャイズオーナＩＤに追加し（ステップＳ６）、処理を終了する（ステップＳ７）。
【００３５】
図８はページ内スペースの再割り当ての例を示す図であり、（ａ）の割り当て状態においてフランチャイズコーナＦ１のフランチャイズオーナＡＡＡが入れ替え閾値以上のポイント数を獲得できず、その後、フランチャイズオーナＣＣＣのフランチャイズコーナＦ３が空きスペースとなった場合の例である。この場合、フランチャイズコーナＦ１のフランチャイズオーナＡＡＡはいったん下位のランクであるフランチャイズコーナＦ３の待ち行列フランチャイズオーナＩＤに入り、フランチャイズオーナＣＣＣのフランチャイズコーナＦ３が空きスペースとなったことにより、（ｂ）に示すように、フランチャイズオーナＡＡＡはフランチャイズコーナＦ３に再割り当てされる。また、フランチャイズオーナＡＡＡが再割り当てされたことで空きスペースとなったフランチャイズコーナＦ１については、その待ち行列フランチャイズオーナＩＤ内で最上位であったフランチャイズオーナＸＸＸに再割り当てされる。
【００３６】
なお、上述した再割り当ての例では、フランチャイズオーナが入れ替え閾値以上のポイント数を獲得できなかった場合でも即座にはスペースの再割り当てを行わず、下位のスペースの空きが発生した時点で再割り当てを行うようにしているが、フランチャイズオーナが入れ替え閾値以上のポイント数を獲得できなかった時点で即座に再割り当てを行うようにしてもよい。この場合の処理例を次に示す。
【００３７】
図９はランク判定およびページ内スペース再割り当ての他の処理例を示すフローチャートである。
【００３８】
図９において、処理を開始すると（ステップＳ１１）、ランク判定処理部２６は、ランク判定ＤＢ２９における各フランチャイズオーナ毎に一定期間内のポイント数と入れ替え閾値を比較し（ステップＳ１２）、ページ内スペース取得部２１は入れ替え閾値以上のポイント数を獲得していないフランチャイズオーナのスペースを保留状態にする（ステップＳ１３）。
【００３９】
次いで、ページ内スペース取得部２１は、保留したスペースに、１段階下のランクの中から最もポイント数の高いフランチャイズオーナをスペース再割り当てする。この際、そのフランチャイズオーナの元のスペースを空きスペースとする（ステップＳ１４）。
【００４０】
次いで、ページ内スペース取得部２１は、空いたスペースに、入れ替え閾値以上のポイント数を獲得していないフランチャイズオーナをスペース再割り当てし（ステップＳ１５）、処理を終了する（ステップＳ１６）。
【００４１】
図１０はこの場合のページ内スペースの再割り当ての例を示す図であり、（ａ）の割り当て状態においてフランチャイズコーナＦ１のフランチャイズオーナＡＡＡが入れ替え閾値以上のポイント数を獲得できず、１つ下位のランクではフランチャイズコーナＦ４のフランチャイズオーナＸＸＸが最もポイントを獲得していたとすると、（ｂ）に示すように、フランチャイズオーナＸＸＸはフランチャイズコーナＦ４からフランチャイズコーナＦ１に再割り当てされ、フランチャイズオーナＡＡＡはフランチャイズコーナＦ１からフランチャイズコーナＦ４に再割り当てされる。このように、フランチャイズオーナが入れ替え閾値以上のポイント数を獲得できなかった場合、即座に下のランクの最高ポイント獲得者のスペースと交換（スペースの再割り当て）を行うことで、ポイントを獲得することへのインセンティブ効果が高まる。
【００４２】
<総括>
以上説明したように、本発明のフランチャイズ型取引システムにあっては、次のような利点がある。
（１）ネットオークションやネットショッピングに必要なリソースを個人ユーザに提供するため、自前でサイトを立ち上げる必要がない。
（２）独自の方針で運営を行えるため、個性ある取引を行うことができる。
（３）既に高い知名度を得ているサイトのページを分割して貸与するため、当初より十分な取引を行うことができる。
（４）スペースの再割り当てにより、成果を出した者はより有利なスペースを得ることができ、公平な競争ルールを確立できる。
【００４３】
以上、本発明の好適な実施の形態により本発明を説明した。ここでは特定の具体例を示して本発明を説明したが、特許請求の範囲に定義された本発明の広範な趣旨および範囲から逸脱することなく、これら具体例に様々な修正および変更を加えることができることは明らかである。すなわち、具体例の詳細および添付の図面により本発明が限定されるものと解釈してはならない。
【図面の簡単な説明】
【００４４】
【図１】本発明の一実施形態にかかるフランチャイズ型取引システムの構成例を示す図である。
【図２】オークション／ショッピングサーバの構成例を示す図である。
【図３】フランチャイズ店舗ＤＢの例を示す図である。
【図４】フランチャイズ課金ＤＢの例を示す図である。
【図５】ランク判定ＤＢの例を示す図である。
【図６】ページ内スペースの割り当ての例を示す図である。
【図７】ランク判定およびページ内スペース再割り当ての処理例を示すフローチャートである。
【図８】ページ内スペースの再割り当ての例を示す図である。
【図９】ランク判定およびページ内スペース再割り当ての他の処理例を示すフローチャートである。
【図１０】ページ内スペースの再割り当ての例を示す図である。
【符号の説明】
【００４５】
１            オークション／ショッピングサーバ
１０１        オークション／ショッピング情報ＤＢ
１０２        ユーザ情報ＤＢ
１０３        分類ＤＢ
１０４        画像ＤＢ
１０５        評価ＤＢ
１０６        課金ＤＢ
１１１        ページサーバ
１１２        編集サーバ
１１３        リストサーバ
１１４        検索サーバ
１１５        画像サーバ
１１６        評価サーバ
１１７        メールサーバ
１１８        課金サーバ
２            フランチャイズ管理サーバ
２１          ページ内スペース取得部
２２          ページ編集部
２３          オークション／ショップ機能管理部
２４          ポイント付与部
２５          フランチャイズ課金処理部
２６          ランク判定処理部
２７          フランチャイズ店舗ＤＢ
２８          フランチャイズ課金ＤＢ
２９          ランク判定ＤＢ
３            ネットワーク
４Ａ〜４Ｃ    クライアント
【図１】
2008052342.tif 000003
【図２】
2008052342.tif 000004
【図３】
2008052342.tif 000005
【図４】
2008052342.tif 000006
【図５】
2008052342.tif 000007
【図６】
2008052342.tif 000008
【図７】
2008052342.tif 000009
【図８】
2008052342.tif 000010
【図９】
2008052342.tif 000011
【図１０】
2008052342.tif 000012